(57)【要約】本発明によれば、（ｉ）容器本体（１０）と、（ｉｉ）容器本体（１０）内部に配設され、使用中に個別に小出しされる多数の製品（Ｃ）を収容する貯蔵領域（１２）と、（ｉｉｉ）小出し口（１４）と、（ｉｖ）貯蔵領域（１２）と小出し口（１４）との間の通路と、（ｖ）前記貯蔵領域（１２）と前記小出し口（１４）との間に配設され、開位置と閉位置との間で可動な弁部材（３８）と、（ｖｉ）小出しされる製品（Ｃ）を受け入れるための大きさの通路領域（２４）を画成するために前記弁部材（３８）から離間された制止部材（１１７）と、前記制止部材（１１７）は前記通路領域（２４）を通る製品（Ｃ）の通過を防止する閉位置に就き離れるべく可動であり、（ｖｉｉ）前記弁部材（３８）および前記制止部材（１１７）を移動させるための手動操作可能手段（３４）とを含む、ディスペンサが提供される。
2004510657.tif 000002
【特許請求の範囲】
【請求項１】
ディスペンサであって、
（ｉ）容器本体と、
（ｉｉ）前記容器本体内部に配設され、使用中に個別に小出しされる多数の製品を収容する貯蔵領域と、
（ｉｉｉ）小出し口と、
（ｉｖ）前記貯蔵領域と前記小出し口との間の通路と、
（ｖ）前記貯蔵領域と前記小出し口との間に配設され、前記通路において開位置と閉位置との間で横方向に可動な弁部材と、
（ｖｉ）小出しされる製品を受け入れるための大きさの通路領域を画成するために前記弁部材から離間され、前記通路領域を通る製品の通過を防止する閉位置に就き離れるべく可動である制止手段と、
（ｖｉｉ）前記弁部材および前記制止手段を移動させるための手動操作可能手段とを含み、前記弁部材をその開位置に移動させるために手動操作可能手段を操作した時に前記制止手段がその閉位置に動かされ、前記弁部材がその閉位置にある時には、前記制止手段は製品の通過を許す位置にあるように構成された、ディスペンサ。
【請求項２】
前記制止手段は前記弁部材の上流に位置している、請求項１記載のディスペンサ。
【請求項３】
前記制止手段は前記弁部材の下流に位置している、請求項１記載のディスペンサ。
【請求項４】
前記通路領域は単一の製品だけを受け入れるための大きさである、請求項１〜３の何れか１項に記載のディスペンサ。
【請求項５】
前記容器本体が１対の成形本体部分より構成される、請求項１〜４の何れか１項に記載のディスペンサ。
【請求項６】
前記容器本体が手中に保持できる大きさおよび形状である、請求項１〜５の何れか１項に記載のディスペンサ。
【請求項７】
ディスペンサが所定の向きで保持された時に、小出しされた製品を、前記小出し口から放出される必要があるまで一時的に保持する保持領域が画成されている、請求項１〜６の何れか１項に記載のディスペンサ。
【請求項８】
前記弁部材は前記手動操作可能手段と一体に形成されている、請求項１〜７の何れか１項に記載のディスペンサ。
【請求項９】
前記通路領域へ入るために小出しされる製品を正しく方向づけるのを補助するために、前記通路領域の上に制御部材が配置されている、請求項１〜８の何れか１項に記載のディスペンサ。
【請求項１０】
ディスペンサであって、
（ｉ）中空本体と、
（ｉｉ）前記中空本体内部に画成されており、使用中に個別に小出しされる多数の製品を収容する貯蔵領域と、
（ｉｉｉ）前記中空本体内の小出し口と、
（ｉｖ）前記貯蔵領域と前記小出し口との間の前記中空本体内の通路と、
（ｖ）前記貯蔵領域から前記小出し口まで前記通路を通る製品の流れを制御するための前記本体内部の弁と、
（ｖｉ）前記弁を操作するための手動操作可能手段とを含み、前記手動操作可能手段が前記中空本体の包囲壁領域と一体に形成されている、ディスペンサ。
【請求項１１】
前記手動操作可能手段は本体と一体に形成されている、請求項１〜１０の何れか１項に記載のディスペンサ。
【請求項１２】
前記手動操作可能手段はボタンよりなる、請求項１〜１１の何れか１項に記載のディスペンサ。
【請求項１３】
前記手動操作可能手段は、一体弾性壁領域によって本体の包囲壁領域と接続されている、請求項１〜１２の何れか１項に記載のディスペンサ。
【請求項１４】
前記弁は、前記本体内部にあって前記手動操作可能手段と一体に形成されている弁部材を含む、請求項１〜１３の何れか１項に記載のディスペンサ。
【請求項１５】
制止手段が前記手動操作可能手段と一体に形成されている、請求項１〜１４の何れか１項に記載のディスペンサ。
【請求項１６】
前記一体弾性壁領域の変形が、前記壁領域と一体に形成されている内部弁の開放および、複数の製品が小出しされることを防止するための制止手段の閉鎖を生じる、請求項１〜１５の何れか１項に記載のディスペンサ。
【発明の詳細な説明】
【０００１】
（技術分野）
本発明は、菓子、食物栄養補助剤、薬剤および他のそうした錠剤型製品といった個別製品を保持し小出しするためのディスペンサ、より詳細には、手動操作可能なディスペンサに関する。
【０００２】
（背景技術）
個別製品を小出しするための多数の手動操作可能なディスペンサが周知である。それらは一般に、多数の作動部分を含んでいることから、複雑で製造が高価であるという問題を欠点とする。また、多くのものが、小出し機構の少なくとも一部が外部環境に開放されており、従って、汚染または破損し想定可能な衛生状態または故障問題をもたらし得るという問題も欠点とする。
【０００３】
欧州特許第１０３８７９７号は、キャンディやピルといった製品のためのポケットディスペンサを開示している。これは、貯蔵空間、出口および、小出し機構がユーザによって加圧された時に貯蔵空間から開口を経て所定数の製品を小出しするための小出し機構を有する。ディスペンサは、貯蔵空間および小出し機構を含む交換可能カートリッジおよび、それと脱着自在に接続されるホルダから構成される。
【０００４】
米国特許第２６５３７０６号は、容器内の製品の順序づけられた配列からそれらの製品を一度に１個ずつ小出しする、錠剤などの製品のための小出し容器を開示している。ディスペンサは、容器の他の製品を汚染物質にさらすことなく単一の製品を小出しする。これは、容器の頂部および底部を一緒に押すことによって小出しする製品を出口に持ち上げて容器から取出すことができるように操作される。
【０００５】
米国特許第５４０５０４７号は、配列されていない貯蔵品からピルまたは錠剤を一度に１個ずつ小出しするためのディスペンサを開示している。製品は、ディスペンサの第１の部分を第２の部分内に強制することによって小出しされる。これは、樋状の底端壁が、小出し溝を閉鎖して、区画を自由に通し、それによって錠剤を小出しすることになる。
【０００６】
仏国特許第２６５９３００号は、内部に収容した製品を１つずつ小出しするための装置が取付けられた箱を開示している。箱は、底部、製品を小出しするための開口を有するふたおよび、１個ずつの製品の保有または取出しを可能にする開口と関係する小出し装置およびふたを作動させるための部材を有する。
【０００７】
独国実用新案第９００５７５７．０号は、貯蔵空間および、単一の製品を取出すように設計された開口を含む単一の製品を小出しするためのディスペンサを開示している。本体は、単一の製品が小出しできるように開口を開くために相互に対して縦方向に滑動可能な上部および下部部分より構成されている。
【０００８】
（発明の開示）
本発明の目的は、上記の不利益を回避または軽減可能にし得る改良されたディスペンサを提供することである。
【０００９】
本発明の第１の態様によれば、
（ｉ）容器本体と、
（ｉｉ）容器本体内部に配設され、使用中に個別に小出しされる多数の製品を収容する貯蔵領域と、
（ｉｉｉ）小出し口と、
（ｉｖ）前記貯蔵領域と前記小出し口との間の通路と、
（ｖ）前記貯蔵領域と前記小出し口との間に配設され、前記通路において開位置と閉位置との間で横方向に可動な弁部材と、
（ｖｉ）小出しされる製品を受け入れるための大きさの通路領域を画成するために前記弁部材から離間され、前記通路領域を通る製品の通過を防止する閉位置に就き離れるべく可動である制止部材と、
（ｖｉｉ）前記弁部材および前記制止部材を移動させるための手動操作可能手段とを含み、（１）前記弁部材をその開位置に移動させるために手動操作可能手段を操作した時に前記制止部材がその閉位置に動かされ、（２）前記弁部材がその閉位置にある時には、前記制止部材は製品の通過を許す位置にあるように構成された、ディスペンサが提供される。
【００１０】
制止部材は、前記通路領域を画成するために弁部材の一方側に配置され得るが、好ましくは弁部材の上流に配置される。この好ましい実施形態において、前記弁部材がその開位置にある時には、前記制止部材は閉位置にあり、それによって製品が通路領域に入ることを防止して前記通路領域を通る製品の通過を防止する。しかし、制止部材が弁部材の下流に配置された場合、制止部材は、製品が通路領域を出ることを防止して前記通路領域を通る製品の通過を防止する。前記通路領域は貯蔵領域から複数の製品を受け取るだけの大きさのものとしてもよいが、好ましくは、製品が単独で小出しされ得るように単一の製品だけを受け入れる大きさのものである。
【００１１】
好ましくは、容器本体は、１対の成形本体部分より構成され、いずれかの所要の大きさおよび形状のものとしてよいが、好ましくは手中に容易に保持できる大きさおよび形状のものである。
【００１２】
好ましくは、小出し口の領域の通路内に、ディスペンサが所定の向きで保持された時に、小出し口から放出される必要があるまで小出しされた製品を一時的に保持する保持領域が画成される。
【００１３】
好ましくは、弁部材は手動操作可能手段と一体に形成される。
【００１４】
本発明の第２の態様において、
（ｉ）中空本体と、
（ｉｉ）前記中空本体内部に画成されており、使用中に個別に小出しされる多数の製品を収容する貯蔵領域と、
（ｉｉｉ）前記中空本体内の小出し口と、
（ｉｖ）前記貯蔵領域と前記小出し口との間の前記中空本体内の通路と、
（ｉｖ）前記貯蔵領域から前記小出し口まで前記通路を通る製品の流れを制御するための本体内部の弁と、
（ｖ）前記弁を操作するための手動操作可能手段とを含み、前記手動操作可能手段は前記中空本体の包囲壁領域と一体に形成されている、ディスペンサが提供される。
【００１５】
手動操作可能手段を本体と一体に設けることによって、その領域には、埃が進入して手動操作可能手段の操作を妨げ得るいかなる接合部も存在しない。
【００１６】
便宜上、手動操作可能手段は、一体弾性壁領域によって本体の包囲壁領域と接続されているボタンよりなる。好ましくは、弁は、本体内部にあって手動操作可能手段と一体に形成されている弁部材を含む。
【００１７】
より好ましくは、本発明の前記第２の態様に従ったディスペンサは、前記第１の態様に従ったディスペンサの特徴を有する。そのような装置において、制止部材は好ましくは、前記手動操作可能手段と一体に形成される。
【００１８】
好ましくは、前記局所壁領域の変形は、前記壁領域と一体に形成されている内部弁の開放および、複数の製品が小出しされることを防止するための制止部材の閉鎖を結果として生じる。
【００１９】
本発明の第３の態様において、
（ｉ）中空本体と、
（ｉｉ）前記中空本体内部に画成されており、使用中に個別に小出しされる多数の製品を収容する貯蔵領域と、
（ｉｉｉ）前記中空本体内の小出し口と、
（ｉｖ）前記貯蔵領域と前記小出し口との間の前記中空本体内の通路と、
（ｉｖ）前記貯蔵領域から前記小出し口まで前記通路を通る製品の流れを制御するための前記本体内部の弁と、
（ｖ）前記弁を操作するための手動操作可能手段と、
（ｖｉ）前記小出し口に隣接する前記通路内部における、前記小出し口に隣接する前記本体内部の前記弁を通過した製品を一時的に保持するための保持手段とを含む、ディスペンサが提供される。
【００２０】
好ましくは、保持手段は、使用時に、一時的に保持された製品が小出し口内を見ることによって見えるように配設される。
【００２１】
（発明を実施するための最良の形態）
本発明の実施形態を添付図面に関連して例示として説明する。
【００２２】
ここで図１〜５について説明すれば、これらに例示されたディスペンサは、小さな筒形キャンディといった個体菓子製品Ｃを小出しするように意図されている第１の実施形態である。ディスペンサは、菓子製品Ｃが蓄えられる上部貯蔵領域１２および下部小出し口１４を有する扁平卵形の中空本体１０よりなる。ディスペンサはさらに、小出し口１４への製品Ｃの通過を制御するための矢印１６で指示された弁および、弁１６が開かれるごとに１個だけの製品Ｃが小出しされ得るように保証するための制止板１７を含む。
【００２３】
中空本体１０は、成形合成プラスチック製の前シェルおよび後シェル１８および２０より形成される。これらは、この例では穴５０に圧入されたピンによって一体に保持されるが、代替的にスナップ嵌め接合具によって一体に保持することもできる（図示せず）。貯蔵領域１２の底面は、本体１０の内部で、中央ののど部２４に通じる下方かつ内方に傾斜する外側領域を備える造形内部壁２２によって画成されている。のど部２４は、開口２８を備える側方に湾曲した底壁２６を有する。壁２２およびのど部２４は、シェル壁の前方に延出するように後シェル２０と一体に成形される。開口２８を備える底壁２６は弁１６の一部を形成する。また、棚２９も後シェル２０と一体に形成される。棚２９は、造形内部壁２２の上に貯蔵領域１２を横切って側方に拡張し、貯蔵領域１２にほぼ中間まで突出する。シェル２０はまた、のど部２４内で縦方向に延長する内部の側方に離間された平行リブ３０と一体に成形されている。これらのリブ３０の上端は、製品Ｃをのど部２４に誘導するために曲線状にされている（図２参照）。
【００２４】
リブ３０および底壁２６の下に、小出し口１４が位置する本体１０の下端に向けて延長する別の内部リブ３２が離間して配置されている。リブ３０および３２の相互に隣り合う縦方向端は、側方に湾曲した前方に開いているスロット３３を画成するように造形されている。リブ３２は、後シェル２０と一体に成形され、スロット３３を画成するのを助ける外壁４８および、底壁２６の下に離間して配置された通路領域４６を有する。リブ３０および３２は、後シェル２０を強化し、製品Ｃの通過を容易にする働きをする。
【００２５】
前シェル１８は、押しボタン３４が押圧され得るように相対的に薄い区域の包囲弾性領域３６によってシェル１８の残部と一体に接続されている手動操作可能な押しボタン３４を画成する局所領域を備えて成形されている。制止板１７は、のど部２４の上端の直下の位置で押しボタン３４の内面からシェル２０に向け後方に突出するように、前シェル１８と一体に成形される。板１７は矩形であり、図２に例示された位置において、リブ３０に向けてのど部２４に突出するような寸法とされるが、貯蔵領域１２の菓子製品Ｃがのど部２４の底へ通過し底壁２６に載るのを妨げるような範囲ではない。シェル１８もまた、押しボタン３４の裏側に、一体に成形された側方に離間された縦方向リブ３５を有する。リブ３０と同様に、リブ３５の上端は、製品Ｃをのど部２４に誘導するのを補助し、また押しボタン３４を補強して使用中の変形を低減するために、リブ３０と連係して働くように曲線状にされている。
【００２６】
リブ３０および３５の相互に対面する内側縁端は、菓子製品Ｃの輪郭に近似するが（図５参照）、単一の菓子製品Ｃだけが制止板１７を通過し底壁２６に載ることを可能にするために適切に大きい断面形状の通路を、のど部を画成する壁２２の部分とともに画成するような輪郭形状にされている。
【００２７】
内部壁２２は、押しボタン３４の押圧を可能にするために十分に前シェル１８から離間されている。
【００２８】
また、押しボタン３４から後方に延出するように前シェル１８と一体に成形されている弁要素３８が、弁１６の一部を形成している。弁要素３８は、通路領域４６の上に配置され、底壁２６の下側に当接する。図１からわかるように、弁要素３８は、底壁２６の形状および、それがかみ合うスロット３３の形状に一致するように側方に湾曲されている。弁要素３８は開口４０を有しており、これは、押しボタン３４が手で押されない時には、菓子製品Ｃが開口２８および４０を通過できないように底壁２６の開口２８と十分に位置がずれている。
【００２９】
小出し口１４は、小出し口１４の上の下方に傾斜してそらせたフランジ４２および小出し口１４の下のリップ付きポケット領域４３を画成する内部ポケット４１と一体に成形されている前シェル１８に画成されている。内部ポケット４１は、開口４０の下に位置しそこから離間されている上方に開いた開口４４を有する。
【００３０】
上述より、貯蔵領域１２と小出し口１４との間に延びる通路が本体１０内に画成されており、当該通路は、（ｉ）のど部２４、（ｉｉ）弁１６の下の通路領域４６、（ｉｉｉ）開口４４および（ｉｖ）ポケット４１の内部によって画成されていることが理解されよう。弁要素３８および制止板１７は、当該通路に対して横断方向に可動である。
【００３１】
使用時、押しボタン３４が弛緩または非押圧状態にあれば、制止板１７および弁要素３８は、図２および５に例示した位置にあり、それによって、ディスペンサが図１に例示したように直立向きに保持された時に位置がずれる開口２８および４０を通過することなく単一の菓子製品Ｃがのど部２４の底に落下できるようにする。
【００３２】
菓子製品Ｃを小出ししたい場合、押しボタン３４を手で内方に押圧する。これは、ディスペンサを手中または親指と人差し指の間に保持し、押しボタン３４を親指で押すことによって、片手だけを用いて便利に行い得る。これにより、弁要素３８は底壁２６に対してスロット３３内で後方に滑動してスロット３３の底面に当接する。この位置において、開口２８および４０は、のど部２４の底の菓子製品Ｃがそれらを通過できるように十分に位置が揃う。しかし、押しボタン３４の押圧はまた、制止板１７をリブ３０に向け後方に移動させ、いずれかの別の菓子製品Ｃがのど部２４の底へ、さらには位置が揃った開口２８および４０を通過するのを防止する。
【００３３】
本体１０がほぼ直立して保持されていれば、通路領域４６および開口４４を通過した菓子製品Ｃは、ポケット４１に落下して内部リップ付きポケット領域４３に保持される。このようにして、このポケット領域４３に保持された菓子製品Ｃは、本体１０の適切な傾倒によって小出し口１４から手または口へ簡単に放出され得る。
【００３４】
押しボタン３４への手の圧力が緩められると、領域３６の弾性により押しボタン３４はその原位置に戻り、それによって、開口２８および４０は再び位置がずらされ、また貯蔵領域１２から別の菓子製品Ｃがのど部２４の底に落下できるようにする。
【００３５】
棚２９は、小出し機構に作用する製品Ｃの重圧を低減する。これは、製品Ｃが小出し機構の上でより自由に動けるようにすることによって、ディスペンサのより信頼できる機能を提供する。
【００３６】
次に図６および７について説明すれば、これらに例示されたディスペンサは、小さな筒形キャンディといった個体菓子製品Ｃを小出しするように意図されているディスペンサの第２の実施形態である。第１の実施形態のものと対応する構成要素には対応した番号が付けられており、変更態様についてのみ説明する。第１の実施形態と同様に、ディスペンサは、菓子製品Ｃが蓄えられる上部貯蔵領域１２および下部小出し口１４を有する扁平卵形の中空本体１０よりなる。ディスペンサはさらに、小出し口１４への製品Ｃの通過を制御するための矢印１６で指示された弁および、弁１６が開かれるごとに１個だけの製品Ｃが小出しされ得るように保証するための、制止板１７に代わり、この実施形態では１対のリブ１１７の形態である制止手段を含む。
【００３７】
中空本体１０は、成形合成プラスチック製の前シェルおよび後シェル１８および２０より形成される。この実施形態において、シェル１８および２０は、穴５０に圧入されたピンによって一体に保持され、不正開封防止式になっている。下方かつ内方に傾斜する外側領域を備える内部壁２２がやはり中央ののど部２４を画成している。のど部２４は、開口２８を備える平形の底壁２６を有する。制御部材１２９が、のど部２４への入口の上に後シェル２０と一体に形成されている。この制御部材１２９は、壁２９の代わりであり、前シェル１８に向けて貯蔵領域１２の前方に延出する。制御部材１２９は、菓子製品Ｃがのど部２４へ入るために正しく方向づけられるように保証するのを助ける。
【００３８】
シェル２０はまた、のど部２４内で縦方向に延長する内部の側方に離間された平行リブ１３０と一体に成形されている。これらのリブ１３０の上端は、製品Ｃをのど部２４に誘導するために角度が付けられている（図７参照）。リブ１３０は、リブ１３０の形状によって、単一の製品Ｃだけがのど部２４に入り、別の製品Ｃはのど部２４の上に保持されているように造形される。
【００３９】
リブ１３０および内部壁２２の下端は、前方に開いているスロット３３を画成するように造形される。リブ１３０および内部壁２２は、後シェル２０を強化し、のど部２４を通る製品Ｃの通過を制御する働きをする。内部壁２２はまた、弁１６の下の通路領域４６を画成する働きもする。
【００４０】
制止手段１１７は、第１の実施形態における説明と同様に、押しボタン３４の内面からシェル２０に向け後方に突出し、のど部２４の正面を画成するように、前シェル１８と一体に成形されている。リブ１１７は、相互に平行であり、図７に例示した位置において、それらがリブ１３０に向けてのど部２４に突出するような寸法とされるが、貯蔵領域１２の菓子製品Ｃがのど部２４の底へ通過し弁要素３８に載るのを妨げるような範囲ではない。リブ１３０と同様に、リブ１１７の上端は、製品Ｃをのど部２４に誘導するのを補助するために、リブ１３０と連係して働くように造形される。またリブ１１７も、使用中にその変形を低減するために押しボタン３４を補強する。前シェル１８はまた、弁要素３８の上にそれと垂直に形成された１対の一体成形誘導板１５２も有する。これらは、壁２２の外面の各自の凹部２２ａに滑り嵌めされており、押しボタン３４の制御された内方への押圧を保証する。
【００４１】
リブ１３０およびリブ１１７の相互に対面する内側縁端は、菓子製品Ｃの輪郭に近似するが、単一の菓子製品Ｃだけがのど部２４に通過し弁要素３８に載ることを可能にするために適切に大きい断面形状の通路を、のど部を画成する壁２２の部分とともに画成するような輪郭形状にされている。
【００４２】
内部壁２２は、押しボタン３４の押圧を可能にするために十分に前シェル１８から離間されている。
【００４３】
弁要素３８は、押しボタン３４から後方に延出するように前シェル１８と一体に成形されている。弁要素３８は、のど部２４で底壁２６の上に配置され、それと当接している。図６からわかるように、前述の実施形態と異なり、弁要素３８は、それが係合する底壁２６およびスロット３３と同様に平形である。
【００４４】
小出し口１４は前シェル１８に画成されている。後シェル２０は、内部ポケット４１および小出し口１４の下のリップ付きポケット領域４３とともに一体に成形される。
【００４５】
上述より、貯蔵領域１２と小出し口１４との間に延びる通路が本体１０内に画成されており、当該通路は、（ｉ）のど部２４、（ｉｉ）弁１６の下の通路領域４６、および（ｉｉｉ）ポケット４１の内部によって画成されていることが理解されよう。弁要素３８およびリブ１１７は、当該通路に対して横断方向に可動である。
【００４６】
使用時、押しボタン３４が弛緩または非押圧状態にあれば、リブ１１７および弁要素３８は、図７に例示した位置にあり、それによって単一の菓子製品Ｃがのど部２４の底に落下できるようにする。
【００４７】
菓子製品Ｃを小出ししたい場合、押しボタン３４を手で内方に押圧する。押しボタン３４の押圧は、菓子製品Ｃを小出しできるようにするとともに、リブ１１７をリブ１３０に向け後方に移動させ、いずれかの別の菓子製品Ｃがのど部２４の底へ、さらには位置が揃った開口２８および４０を通過するのを防止する。
【００４８】
図面には示されていないが、底壁２６および弁要素３８の相互に対面する表面のそれぞれは小さな横方向リブを有しており、それによって、弁１６が開き、弁要素３８のリブが底壁２６のリブ上を通過した時に可聴クリック音が生じる。
【００４９】
（産業上の利用の可能性）
上述より、ディスペンサの全体がわずか２個の成形品によって画成され、それにより、汚染物質の進入を許す最小限の外部接合部を伴い非常に経済的に製造可能にすることが理解されるであろう。さらに、ディスペンサは片手で操作するために単純かつ便利である。
【図面の簡単な説明】
【図１】
本発明に従ったディスペンサの１例の正面からの略縦断面図である。
【図２】
図１のディスペンサの側方からの略縦断面図である。
【図３】
図１および２のディスペンサの正面図である。
【図４】
図１〜３のディスペンサの側立面図である。
【図５】
図１〜４のディスペンサの略横断面図である。
【図６】
本発明に従ったディスペンサの別の例の正面からの略縦断面図である。
【図７】
図６の代替的なディスペンサの側方からの略縦断面図である。
【国際公開パンフレット】
2004510657.tif 000003
2004510657.tif 000004
2004510657.tif 000005
2004510657.tif 000006
2004510657.tif 000007
2004510657.tif 000008
2004510657.tif 000009
2004510657.tif 000010
2004510657.tif 000011
2004510657.tif 000012
2004510657.tif 000013
2004510657.tif 000014
2004510657.tif 000015
2004510657.tif 000016
2004510657.tif 000017
2004510657.tif 000018
2004510657.tif 000019
2004510657.tif 000020
2004510657.tif 000021
2004510657.tif 000022
2004510657.tif 000023
2004510657.tif 000024
2004510657.tif 000025
【国際公開パンフレット（コレクトバージョン）】
2004510657.tif 000026
2004510657.tif 000027
【国際調査報告】
2004510657.tif 000028
2004510657.tif 000029